(57)【特許請求の範囲】
【請求項１】
コアテープが巻付けられたコアを支持する回転軸と、
コアテープ先端を検知する検知器と、
コアのコアテープに当接するとともにコアテープ先端を引付けて回転し、コアからコアテープを引離す引離ローラと、
引離ローラからのコアテープを巻取る巻取ローラと、
回転軸を正転させるとともに検知器からの信号に基づいて回転軸を所定の位置に停止させ、その後回転軸を逆転させる制御部と、
を備えたことを特徴とする刷本巻取装置。
【請求項２】
請求項１記載の刷本巻取装置の使用方法において、
コアを回転自在に支持する回転軸を制御部により正転させる工程と、
コアテープ先端を検知器により検知する工程と、
検知器からの信号に基づいて制御部により回転軸を所定の位置に停止させて引離ローラによりコアテープの先端を引付ける工程と、
制御部により回転軸を逆転させ、コアに巻付けられたコアテープを引離ローラによって引離して、巻取ローラ上に巻取る工程と、
を備えたことを特徴とする刷本巻取装置の使用方法。
【請求項３】
刷本を巻取るためのコアテープが巻付けられたコアを支持する回転軸と、
コアテープ先端を検知する検知器と、
コアのコアテープに当接するとともにコアテープ先端を引付けて回転し、コアからコアテープを引離す引離ローラと、
引離ローラからのコアテープを巻取るとともに、コアテープをコア側へ巻き戻しながらコア側で刷本を巻取っていく巻取ローラと、
回転軸を正転させるとともに検知器からの信号に基づいて回転軸を所定の位置に停止させ、その後回転軸を逆転させる制御部と、
を備えたことを特徴とする刷本巻取装置。
【請求項４】
請求項３記載に記載の刷本巻取装置の使用方法において、
コアを回転自在に支持する回転軸を制御部により正転させる工程と、
コアテープ先端を検知器により検知する工程と、
検知器からの信号に基づいて制御部により回転軸を所定の位置に停止させて引離ローラによりコアテープの先端を引付ける工程と、
制御部により回転軸を逆転させ、コアに巻付けられたコアテープを引離ローラによって引離して、巻取ローラ上に巻取る工程と、
制御部により巻取ローラ上で巻取ったコアテープをコア側へ巻き戻しながら、コア側で刷本を巻取っていく工程と
を備えたことを特徴とする刷本巻取装置の使用方法。
【発明の詳細な説明】
【０００１】
【発明の属する技術分野】
本発明は、さしみ状に配置された多数の刷本をコアテープで押えながらコアの周囲に巻取る刷本巻取装置に関する。
【０００２】
【従来の技術】
従来からさしみ状に配置された多数の刷本をコアテープで押えながらコアの周囲に巻取る刷本巻取装置が知られている。この刷本巻取装置はコアを支持する回転軸を備えており、また回転軸近傍には予めコア周囲に巻付けられたコアテープをコアから引離すための引離マグネットローラが設けられている。
【０００３】
すなわち、刷本を巻取る前のコアには、予めコアテープが巻付けられており、刷本の巻取作業前にはこのコアテープをコアから引離す必要がある。コアテープの引離しにあたっては、従来、コアに巻かれたコアテープを引離しマグネットローラに接触させてコアを回転させながら、それに伴ってつれ回る引離しマグネットローラに、コアテープの先端の金属部を引き付け、引離しマグネットローラ側にコアテープの先端から巻込んでコアテープをコアから引離している。
【０００４】
【発明が解決しようとする課題】
上述のように、コアテープをコアから引離す場合、コアテープ先端を引離マグネットローラによって引離しているが、コアテープ先端は接着テープ等によってコアテープに接着されており、コアテープの先端がコア側に密着している場合は、引離ローラによって確実に引離すことができない場合がある。
【０００５】
また、接着されたコアテープの先端が浮き上がっている場合は、そのまま逆転させると、ガイド板やその周辺のブラケット等に引っかかり、コアテープや装置を破損するトラブルを発生していた。
【０００６】
本発明はこのような点を考慮してなされたものであり、刷本を巻取る前にコアテープをコアから容易かつ確実に引離すことができる刷本巻取装置およびその使用方法を提供することを目的とする。
【０００７】
【課題を解決するための手段】
本発明は、コアテープが巻付けられたコアを支持する回転軸と、コアテープ先端を検知する検知器と、コアのコアテープに当接するとともにコアテープ先端を引付けて回転し、コアからコアテープを引離す引離ローラと、引離ローラからのコアテープを巻取る巻取ローラと、回転軸を正転させるとともに検知器からの信号に基づいて回転軸を停止させ、その後回転軸を所定の位置に逆転させる制御部と、を備えたことを特徴とする刷本巻取装置、
上記記載の刷本巻取装置の使用方法において、コアを回転自在に支持する回転軸を制御部により正転させる工程と、コアテープ先端を検知器により検知する工程と、検知器からの信号に基づいて制御部により回転軸を所定の位置に停止させて引離ローラによりコアテープ先端を引付ける工程と、制御部により回転軸を逆転させ、コアに巻付けられたコアテープを引離ローラによって引離して、巻取ローラ上に巻取る工程と、を備えたことを特徴とする刷本巻取装置、
刷本を巻取るためのコアテープが巻付けられたコアを支持する回転軸と、コアテープ先端を検知する検知器と、コアのコアテープに当接するとともにコアテープ先端を引付けて回転し、コアからコアテープを引離す引離ローラと、引離ローラからのコアテープを巻取るとともに、コアテープをコア側へ巻き戻しながらコア側で刷本を巻取っていく巻取ローラと、回転軸を正転させるとともに検知器からの信号に基づいて回転軸を所定の位置に停止させ、その後回転軸を逆転させる制御部と、を備えたことを特徴とする刷本巻取装置、
および
上記記載の刷本巻取装置の使用方法において、コアを回転自在に支持する回転軸を制御部により正転させる工程と、コアテープ先端を検知器により検知する工程と、検知器からの信号に基づいて制御部により回転軸を所定の位置に停止させて引離ローラによりコアテープの先端を引付ける工程と、制御部により回転軸を逆転させ、コアに巻付けられたコアテープを引離ローラによって引離して、巻取ローラ上に巻取る工程と、制御部により巻取ローラ上で巻取ったコアテープをコア側へ巻き戻しながら、コア側で刷本を巻取っていく工程とを備えたことを特徴とする刷本巻取装置の使用方法である。
【０００８】
本発明によれば、コア周囲に巻付けられたコアテープを容易かつ確実に引離すことができる。
【０００９】
【発明の実施の形態】
以下、図面を参照して本発明の実施の形態について説明する。図１乃至図６は本発明による刷本巻取装置およびその使用方法を示す図である。
【００１０】
図１に示すように、刷本巻取装置１０はベース１１上に左右一対配置されており、このように刷本巻取装置１０を一対配置することにより刷本巻取作業を連続的に行うことができる。
【００１１】
なお、左右一対の刷本巻取装置１０は、全く同一構造を有しているので、以下右方の刷本巻取装置１０について説明する。
【００１２】
刷本巻取装置１０は、ベース１１上に設けられるとともにコア２４を支持する回転軸１２と、回転軸１２の右側近傍に配置された検知器１６と、回転軸１２下方に配置された引離マグネットローラ１３とを備えている。このうち回転軸１２によって支持されたコア２４は一部重なり合ってさしみ状に連続して配置された多数の刷本２２（図３参照）をその周囲に巻取るものであり、刷本２２の巻取作業前においてはコアには予めコアテープ２５が巻付けられている。この場合、コアテープ２５の先端には鋼製の金属部２５ａが取付けられており、この金属部２５ａはコアテープ２５の他の部分に接着されている。
【００１３】
また検知器１６はコアテープ２５の金属部２５ａを検知するものであり、この検知器１６には制御装置１９が接続されている。さらに引離マグネットローラ１３はコアテープ２５の金属部２５ａを引付けて回転し、コア２４からコアテープ２５を引離すものである。
【００１４】
また引離マグネットローラ１３によってコア２４から引離されたコアテープ２５は、図２に示すように引離マグネットローラ１３に当接して配置された搬送ベルト１５によって巻取マグネットローラ１４まで搬送され、この巻取マグネットローラ１４に巻取られるようになっている。また搬送ベルト１５はローラ１６ａ，１６ｂ，１６ｃ，１６ｄ，１６ｅに掛け渡されており、駆動用ローラは、巻取マグネットローラとなっている。
【００１５】
また図２に示すように、ローラ１６ａとローラ１６ｄとの間の搬送ベルト１５下方には、コアテープ２５の金属部２５ａを搬送ベルト１５側へ引付けるマグネット１７が複数配置されている。
【００１６】
なお、検知器１６に接続された制御装置１９は、回転軸１２、引離マグネットローラ１３および巻取マグネットローラ１４にも各々接続されている。さらにまた回転軸１２上のコア２４と引離マグネットローラ１３との間には、多数の刷本２２を図示しない刷本供給部から回転軸１２上のコア２４まで搬送する刷本搬送ライン２１が配置されている。
【００１７】
次にこのような構成からなる刷本巻取装置の作用について説明する。まず図１の右側に示すように予めコアテープ２５が巻付けられたコア２４が回転軸１２に設置される。次に回転軸１２が制御装置１９によって矢印Ｌ1 方向へ正転し、コアテープ２５の金属部２５ａが検知器１６により検知される。この場合正転方向は、コアテープ２５の巻付方向と同じ側の方向となる。
【００１８】
検知器１６からの信号は制御部１９へ送られ、この制御部１９によって回転軸１２は所定回転数（約２／３回転）回転した後停止する。この時コアテープ２５の金属部２５ａは引離マグネットローラ１３の位置にあって、この引離マグネットローラ１３に当接する（図４および図５参照）。
【００１９】
次に図６に示すように、制御部１９によって引離マグネットローラ１３が回転し、同時に回転軸１２が矢印Ｌ2 方向へ逆転する。この場合、コアテープ２５の金属部２５ａが引離マグネットローラ１３に巻込まれた後、コアテープ２５は搬送ベルト１５によって巻取マグネットローラ１４側へ搬送される。
【００２０】
次にコアテープ２５はその金属部２５ａから巻取マグネットローラ１４によって巻取られていく。
【００２１】
本実施の形態によれば、コアテープ２５の金属部２５ａが引離マグネットローラ１３の位置にきたところで回転軸１２が停止するので、金属部２５ａを確実に引離マグネットローラ１３に引付けた後、引離マグネットローラ１３によってコアテープ２５をコア２４から引離すことができる。また搬送ベルト１５の下方にマグネット１７が配置されているので、このマグネット１７によって金属部２５ａを搬送ベルト１５側へ押付けることにより、搬送ベルト１５によってコアテープ２５を確実に巻取マグネットローラ１４側へ搬送することができる。
【００２２】
次にコアテープ２５を巻取マグネットローラ１４に巻取った後、一部重なり合って連続配置された多数の刷本２２が刷本搬送ライン２１からコア２４の下方へ送られる。同時に巻取マグネットローラ１４からコアテープ２５が、搬送ベルト１５によって上述と逆方向に送られる。この場合、回転軸１２が矢印Ｌ1 方向に正転するので、回転軸１２上のコア２４の周囲に、多数の刷本２２がコアテープ２５によって押えられながら巻取られていく。
【００２３】
このようにコア２４の周囲に刷本２２をコアテープ２５で押えながら巻取ることにより、刷本巻体２０が得られる。
【００２４】
【発明の効果】
以上説明したように本発明によれば、刷本を巻取る前に、コアからコアテープを容易かつ確実に引離すことができる。このため刷本巻取作用を確実に行なうことができる。
【図面の簡単な説明】
【図１】本発明による刷本巻取装置の一実施の形態を示す概略図。
【図２】引離マグネットローラと搬送ベルトを示す拡大図。
【図３】多数の刷本の配置状態を示す図。
【図４】金属部が引離マグネットローラに当接する状態を示す刷本巻取装置の概略図。
【図５】図４に示す刷本巻取装置の拡大図。
【図６】コアテープが巻取マグネットローラに巻取られる状態を示す刷本巻取装置の概略図。
【符号の説明】
１０  刷本巻取装置
１１  ベース
１２  回転軸
１３  引離マグネットローラ
１４  巻取マグネットローラ
１５  搬送ベルト
１６  検知器
１９  制御装置
２０  刷本巻体
２２  刷本
２４  コア
２５  コアテープ
２５ａ  金属部
【図１】
0003713121.tif 000002
【図２】
0003713121.tif 000003
【図３】
0003713121.tif 000004
【図４】
0003713121.tif 000005
【図５】
0003713121.tif 000006
【図６】
0003713121.tif 000007